(57)【特許請求の範囲】
【請求項１】
操作入力手段と、レジスタと、スタックと、制御手段と、表示手段と、送信手段とを備え、上位所定の複数桁にアーチスト番号が割り当てられた選曲番号を扱うカラオケリモコン装置であって、
操作入力手段は、番号と、送信指示と、リコール指示の入力が可能であり、
レジスタは、制御手段の制御に従って１つの選曲番号を記憶し、
スタックは、制御手段の制御に従って複数の選曲番号の順列を記憶し、
制御手段は、レジスタ中の番号を表示手段に表示させるとともに、初期入力処理と、リコール処理と、送信処理を可能とし、
初期入力処理は、操作入力手段から入力される一連の番号に基づいてレジスタに選曲番号を形成させ、
リコール処理は、スタック中の選曲番号をリコール指示が入力される毎に順番に読み出して、少なくともアーチスト番号をレジスタに記憶させ、当該アーチスト番号と操作入力手段から入力される番号でレジスタに選曲番号を形成させ、
送信処理は、送信指示の入力に応答してレジスタ中に形成された選曲番号を含むリモコン信号を送信手段に送信させるとともに、当該選曲番号をスタックの順列先頭に記憶させる
カラオケリモコン装置。
【請求項２】
リコール処理は、スタックから読み出した選曲番号の全桁をレジスタに記憶させるとともに、当該選曲番号中のアーチスト番号を除く下位桁を点滅表示またはカーソル表示させる
請求項１に記載のカラオケリモコン装置。
【請求項３】
送信処理は、当該選曲番号のアーチスト番号と同じアーチスト番号の選曲番号がスタックに記憶されている場合には、当該選曲番号をスタックに記憶させない
請求項１または２に記載のカラオケリモコン装置。
【発明の詳細な説明】
【０００１】
【発明が属する技術分野】
この発明はカラオケリモコン装置に関し、とくに各アーティスト固有に割り当てられた上位桁部分と、各アーティストの持ち歌の中の一つを特定するために割り当てられた下位桁部分とで構成される選曲番号によって選曲予約を行うものに関する。
【０００２】
【従来の技術】
カラオケリモコン装置は、テンキーや転送キー等が配置されたユーザ操作部、この操作部から入力された選曲番号をモニター表示する表示部、その入力選曲番号を赤外線信号（空間伝送信号）を使ってカラオケ本体装置へ送信する無線Ｉ／Ｆ（インターフェイス）などを備えている。
【０００３】
カラオケ利用者が上記操作部のテンキーから選曲番号を入力すると、その選曲番号をレジスタに一時的に保持するとともに、その保持した選曲番号を表示部にモニター表示する。このモニター表示によってカラオケ利用者に誤入力の確認を行わせることができるが、この段階で上記操作部にて訂正の操作があった場合にはその受付処理を行う。
【０００４】
選曲番号の入力が完了した段階でカラオケ利用者が上記操作部の転送キーを押すと、上記レジスタに保持されている選曲番号を所定フォーマットの赤外線信号に変換してカラオケ本体装置へ無線送信（転送）する。この場合、その転送動作をいったん行うと、上記レジスタの保持内容を消去（初期化）して無入力状態に復帰させる。これは、転送キーが誤って２度押しされた場合に、同じリクエスト曲が重複して予約されてしまう不都合を避けるためである。
【０００５】
【発明が解決しようとする課題】
上述したように、従来のカラオケリモコン装置では、利用者が入力した選曲番号を転送動作ごとに消去（初期化）するように構成したことにより、転送キーの２度押しによる重複予約の不都合を回避させることができるが、転送キーを押したときにたまたまリモコン装置の前を人が横切ったり、あるいは何らかの遮蔽物が介在したりすると、リモコン装置からカラオケ本体装置への伝送が正しく行なわれなくなる。このような場合、利用者には同じ選曲番号を最初から入力し直さなければならない面倒が生じる。
【０００６】
また一般に、カラオケ利用者はそれぞれ自分の好みのアーティストの持ち歌の中から選曲する傾向がある。したがって、その利用者の便宜を考慮するならば、選曲番号は、各アーティストに固有に割り当てられた上位桁部分と、各アーティストの持ち歌の中の一つを特定するために割り当てられた下位桁部分とで構成するのが適当である。こうすれば、利用者は、自分の好みの曲を簡単に探して選曲予約することができる。
【０００７】
しかし、利用者が一度は入力したたかだか数人のアーティストの持ち歌の中から曲を変えるだけで連続予約する場合でも、上述した従来のリモコン装置では、アーティストとその持ち歌の両方を指定する選曲番号をすべて入力しなければならなかった。これは限られたアーティストの持ち歌の中から選曲したい利用者にとってはたいへん面倒であり、また入力桁数が多いと誤入力の確率も高くなるという問題が生じる。
【０００８】
この発明は上述のような観点からなされたもので、その目的は、各アーティストに固有に割り当てられた上位桁部分と、各アーティストの持ち歌の中の一つを特定するために割り当てられた下位桁部分とで構成される選曲番号を扱うカラオケリモコン装置において、転送キーの２度押しによる重複予約の不都合を回避する機能を備えつつ、転送が失敗したときの再入力操作、および一度入力したばかりのアーティストの持ち歌の中から連続予約を行う場合の選曲操作を大幅に簡便化させることができるカラオケリモコン装置を提供することにある。
【０００９】
【課題を解決するための手段】
この発明に係るカラオケリモコン装置は、番号リコール機能に特徴を有するもので、分説すると、つぎの事項（１）〜（８）により特定されるものである。
（１）操作入力手段と、レジスタと、スタックと、制御手段と、表示手段と、送信手段とを備え、上位所定の複数桁にアーチスト番号が割り当てられた選曲番号を扱うカラオケリモコン装置であること
（２）操作入力手段は、番号と、送信指示と、リコール指示の入力が可能であること
（３）レジスタは、制御手段の制御に従って１つの選曲番号を記憶すること
（４）スタックは、制御手段の制御に従って複数の選曲番号の順列を記憶すること
（５）制御手段は、レジスタ中の番号を表示手段に表示させるとともに、初期入力処理と、リコール処理と、送信処理を可能とすること
（６）初期入力処理は、操作入力手段から入力される一連の番号に基づいてレジスタに選曲番号を形成させること
（７）リコール処理は、スタック中の選曲番号をリコール指示が入力される毎に順番に読み出して、少なくともアーチスト番号をレジスタに記憶させ、当該アーチスト番号と操作入力手段から入力される番号でレジスタに選曲番号を形成させること
（８）送信処理は、送信指示の入力に応答してレジスタ中に形成された選曲番号を含むリモコン信号を送信手段に送信させるとともに、当該選曲番号をスタックの順列先頭に記憶させること
【００１０】
上記のように特定される発明において、リコール処理は、スタックから読み出した選曲番号の全桁をレジスタに記憶させるとともに、当該選曲番号中のアーチスト番号を除く下位桁を点滅表示またはカーソル表示させることとしてもよい。
【００１１】
また、送信処理は、当該選曲番号のアーチスト番号と同じアーチスト番号の選曲番号がスタックに記憶されている場合には、当該選曲番号をスタックに記憶させないこととしてもよい。
【００１２】
【発明の実施の形態】
＝＝＝構成＝＝＝
図１はこの発明の実施例によるカラオケリモコン装置の内部機能に着目したブロック図を示す。また、図２は上記装置の外観構成例を示す。
このリモコン装置は、前記ユーザ操作手段に相当するキーパッド１とＬＣＤ表示部２と、前記無線送信部の要部である赤外線ＬＥＤ３と、マイコン４とを備えている。マイコン４は、ＣＰＵ５・ＲＡＭ６・ＲＯＭ７の他に、キーパッド１の操作信号を作り出す信号発生回路８と、ＬＣＤ表示器を駆動するＬＣＤドライバ９と、赤外線ＬＥＤを駆動するＬＥＤドライバ１０を備えている。
【００１３】
キーパッド１には、図２に示すように、選曲番号を入力するためのテンキー、入力した選曲番号を赤外線送信ユニットから送信させるための転送キー１２などのほかに、「リコール」と表記されたリコール操作用のキーが配置されている。このリコールキー１３は本発明の装置に特有のものである。
【００１４】
表示部２はキーパッドから入力された6桁の選曲番号を上位４桁（表示域２Ａ）と下位２桁（表示域２Ｂ）とに区切って数値表示する。この選曲番号の上位４桁はアーティストに固有に割り当てられ、下位２桁はそのアーティストの持ち歌番号として割り当てられたものである。
【００１５】
ＣＰＵ５には装置全体の基本的制御を司る主制御機能が備わり、入力制御や転送制御などの各機能はマイコン４内のメモリを使ってソフトウェア的に実現される。
【００１６】
＝＝＝動作＝＝＝
図３に上述したカラオケリモコン装置の要部における動作フローチャートを示した。また、図４に上記装置の主要な動作状態（Ｃ１〜Ｃ３）をキー操作と表示の対応で示した。
【００１７】
以下に詳しく説明するように、実行レジスタとスタックがＲＡＭ６に割り当てられる。実行レジスタには、キーパッド１から入力された選曲番号を一時的に記憶・保持する。このレジスタの保持内容（入力内容）はそのまま上記表示部２にて表示される。またスタックには、実行レジスタを経由して選曲された選曲番号を最新の１０曲分だけ更新しながら記憶する。
【００１８】
上述したリモコン装置では、まず、キーパッド１から選曲番号の入力受付処理を実行する（Ｓ１／Ｃ１）。ここで入力された番号は、実行レジスタに１桁ずつ順次格納し、表示部２にてモニター表示される。この入力受付処理では、上位４桁が入力されると表示部２の下位２桁表示域２Ｂを点滅させて、下位２桁の入力を利用者に促す（Ｃ２）。これにより、利用者はその下位２桁だけに注目して入力操作を確実に行うことができる。
【００１９】
以上のようにして上位４桁（アーティスト）と下位２桁（持ち歌）とからなる選曲番号の入力が完了すると、転送キー１２による転送操作が可能な状態を形成する（Ｓ２／Ｃ３）。
【００２０】
ここで、利用者が転送キー１２を操作すると、実行レジスタに保持されている選曲番号をスタックに追加保存させるとともに、その実行レジスタの選曲番号を符号化してカラオケ本体装置１１へ赤外線送信させる転送処理を実行する。そして、この転送処理の実行と同時に、実行レジスタの保持内容を初期化（消去）して、次の選曲番号の入力待ち状態を形成する。またこの初期化に先立って、実行レジスタに保持された選曲番号をスタックに追加保存（セーブ）する制御を実行する。（Ｓ２１，Ｓ２２／Ｃ１）
なお、選曲番号の入力（４桁＋２桁）が完了した時点で、キーパッド１にて入力やり直しの操作が行なわれた場合には、上記転送は行なわれず、実行レジスタの保持内容だけがクリアされる。
【００２１】
このあと、キーパッド１から新たな選曲番号の入力があると、最初の入力受付状態（Ｓ１）に戻って、上位４桁と下位２桁による選曲番号の入力受付処理を開始する（Ｃ１）。
【００２２】
他方、キーパッド１にてリコールキー１３の操作が行われると（Ｓ３）、スタックに保存させた選曲番号のうち最新のものが実行レジスタにリコールされて転送前の選曲番号が表示されるとともに、下位２桁の入力受付状態に戻る（Ｓ３１／Ｃ２）。ここで再度リコールキー１３を操作すると、スタックに保存された選曲番号のうち次に新しいものが実行レジスタにリコールされる。このように、リコールキー１３を押すたびにスタックに保存された選曲番号がさかのぼってリコールされる。
【００２３】
リコールされた選曲番号の下位2桁を修正して新たな選曲番号を表示部２に表示させたのち転送キー１２を操作した場合には、スタックからリコールした選曲番号を削除するとともに、実行レジスタに保持された選曲番号をスタックに追加保存する。この制御によりスタックの内容は常に１０曲分以下となる。またリコールキー１３を操作して選曲するかぎり、同じアーティストの持ち歌はスタックに追加保存されることはなくなる。
【００２４】
これら一連の動作により、転送キー１２の操作時にリモコン装置の前を人が横切ったりして転送が不成功に終わった場合、あるいは利用者が一度選曲したアーティストの持ち歌の中から別の曲をさらに選曲したい場合、利用者は上記リコールキー１３を操作することによって、転送前の選曲番号を確認することができるとともに、下位２桁の番号の入力操作だけで、同じアーティストの持ち歌の中から選曲を行うことができる。
【００２５】
このようにして、転送キーの２度押しによる重複予約の不都合を回避する機能を備えつつ、転送が失敗したときの再入力操作、および同じ歌手の持ち歌の中から連続予約を行う場合の選曲操作を大幅に簡便化させることができる。
【００２６】
＝＝＝その他＝＝＝
上述した実施例では選曲番号の下位２桁を点滅表示させるようにしたが、入力対象となっている桁部分にカーソル表示を行う構成、あるいはその部分を反転表示させる構成であってもよい。また、これらを上述した点滅表示と組み合わせる構成も可能である。
【００２７】
利用者がリコールキー１３を操作せずに6桁の選曲番号を入力して選曲した場合にこの選曲番号をスタックに追加保存する際には、選曲番号の上位4桁をチェックしてスタックに保存されている選曲番号の上位4桁と一致するもの、すなわちすでにスタックに記録されているアーティストの持ち歌については追加保存しないようにすることも可能である。こうすると、スタックにはすべて異なったアーティストの持ち歌の選曲番号が記憶されることになるので、さらに利便性が向上する。
【００２８】
なお上記の実施例ではスタックと実行レジスタを別領域としたが、スタックと同じ領域内に動的な実行レジスタをもたせる形式であってもよいのはもちろんのことである。
【００２９】
【発明の効果】
以上に説明したように、本発明にかかるカラオケリモコン装置によれば、転送キーの２度押しによる重複予約の不都合を回避する機能を備えつつ、転送が失敗したときの再入力操作、および一度入力したアーティストの持ち歌の中から連続予約を行う場合に、再度アーティストを特定する番号（上行桁部分）を入力しなくても選曲できるようになり選曲操作を大幅に簡便化させることができる。
【００３０】
さらに、下位桁番号の入力待ち状態にて、その下位桁部分の表示を点滅させる制御を行うことにより、入力対象となっている番号を利用者に効果的に認知させることができ、これにより、利用者はその下位桁部分だけに注目して一層確実に入力操作を行うことができる。
【図面の簡単な説明】
【図１】この発明の技術が適用されたカラオケリモコン装置の概略構成を示す機能別ブロック図である。
【図２】図１に示したリモコン装置の外観構成例を示す正面図である。
【図３】図１に示したリモコン装置の要部における動作例を示すフローチャートである。
【図４】図１に示したリモコン装置の主要な動作状態を示す図である。
【符号の説明】
１    キーパッド
２    ＬＣＤ表示部
２Ａ  上位桁表示域
２Ｂ  下位桁表示域
３    赤外線ＬＥＤ
４    マイコン
５    ＣＰＵ
６    ＲＡＭ
７    ＲＯＭ
８    信号発生回路
９    ＬＣＤドライバ
１０    ＬＥＤドライバ
１１    カラオケ装置本体
１２    転送キー
１３    リコールキー
【図１】
0003643056.tif 000002
【図２】
0003643056.tif 000003
【図３】
0003643056.tif 000004
【図４】
0003643056.tif 000005